(57)【要約】      （修正有）【課題】災害時に家庭用電力や水道水の供給が停止した場合にも飲料水を確保することができる災害対応型ウォーターサーバーを提供する。【解決手段】原水タンク２の側から浄水フィルタカートリッジ３の側に原水を移送する電動ポンプ５と、浄水フィルタカートリッジ３で濾過した浄水を収容する冷水タンク７と、冷水タンク７内の浄水を冷却する冷却装置３０とを有し、コンセント電源入力ライン５３に電圧が入力されているときは、コンセント電源入力ライン５３から得られる電力で電動ポンプ５および冷却装置３０を駆動し、コンセント電源入力ライン５３に電圧が入力されていないときは、冷却装置３０の動作を停止し、かつ、バッテリ電源入力ライン５５から得られる電力で電動ポンプ５を駆動するように構成した災害対応型ウォーターサーバー。【選択図】図２
2020138764.tif 000002
【特許請求の範囲】
【請求項１】
交換式の浄水フィルタカートリッジ（３）と、
原水を貯留する原水タンク（２）と、
前記原水タンク（２）と前記浄水フィルタカートリッジ（３）の間を連通する原水管（４）と、
前記原水管（４）の途中に設けられ、前記原水タンク（２）の側から前記浄水フィルタカートリッジ（３）の側に原水を移送する電動ポンプ（５）と、
前記浄水フィルタカートリッジ（３）で濾過した浄水を収容する冷水タンク（７）と、
前記冷水タンク（７）内の浄水を冷却する冷却装置（３０）と、
前記電動ポンプ（５）と前記冷却装置（３０）とに電力を供給する電源回路（５１）と、を有し、
前記電源回路（５１）は、家庭用コンセント（５２）に接続して前記家庭用コンセント（５２）の電圧が入力されるコンセント電源入力ライン（５３）と、交換可能なバッテリ（５４）に接続して前記バッテリ（５４）の電圧が入力されるバッテリ電源入力ライン（５５）とを有し、
前記コンセント電源入力ライン（５３）に電圧が入力されているときは、前記コンセント電源入力ライン（５３）から得られる電力で前記電動ポンプ（５）および前記冷却装置（３０）を駆動し、前記コンセント電源入力ライン（５３）に電圧が入力されていないときは、前記冷却装置（３０）の動作を停止し、かつ、前記バッテリ電源入力ライン（５５）から得られる電力で前記電動ポンプ（５）を駆動するように構成した、
災害対応型ウォーターサーバー。
【請求項２】
前記バッテリ電源入力ライン（５５）は、複数の乾電池を交換可能に収容して前記複数の乾電池の電圧を取り出す乾電池収容ケース（６４）を有し、
前記バッテリ（５４）は、前記複数の乾電池である、
請求項１に記載の災害対応型ウォーターサーバー。
【請求項３】
前記浄水フィルタカートリッジ（３）は、中空糸膜フィルタ（２０，２１）と、前記中空糸膜フィルタ（２０，２１）の上流側に配置された活性炭フィルタ（２２）とを有する請求項１または２に記載の災害対応型ウォーターサーバー。
【請求項４】
前記電源回路（５１）は、
前記コンセント電源入力ライン（５３）と前記バッテリ電源入力ライン（５５）とを合流させる電源結合回路（５６）と、
前記電源結合回路（５６）から前記コンセント電源入力ライン（５３）への逆流を防止するように前記コンセント電源入力ライン（５３）に設けられた逆流防止ダイオード（５７）と、
前記家庭用コンセント（５２）の電圧を、前記コンセント電源入力ライン（５３）の前記逆流防止ダイオード（５７）よりも上流側の位置から取り出して前記冷却装置（３０）に印加する冷却装置電源ライン（５８）と、を有する、
請求項１から３のいずれかに記載の災害対応型ウォーターサーバー。
【請求項５】
前記コンセント電源入力ライン（５３）に前記家庭用コンセント（５２）の電圧が入力されているか否かを検出するコンセント電源検出回路（６０）と、
前記浄水フィルタカートリッジ（３）で濾過した浄水の水位を検出する水位センサ（２５）と、
前記冷水タンク（７）の温度を検出する冷水温度センサ（２９）と、
前記冷却装置（３０）および前記電動ポンプ（５）の駆動を制御する制御部（５０）と、を有し、
前記制御部（５０）は、
前記水位センサ（２５）の検出水位が予め設定された下限水位よりも低くなったときに前記電動ポンプ（５）を駆動する電動ポンプ駆動制御と、
前記冷水温度センサ（２９）の検出温度が予め設定された冷水温度の上限値よりも高くなったときに前記冷却装置（３０）を駆動する冷水タンク温度制御と、
前記コンセント電源検出回路（６０）で前記家庭用コンセント（５２）の電圧が検出されないときは、前記電動ポンプ駆動制御を実行しながら前記冷水タンク温度制御を停止する停電時冷却停止制御と、を行なう、
請求項１から４のいずれかに記載の災害対応型ウォーターサーバー。
【請求項６】
前記浄水フィルタカートリッジ（３）で濾過された浄水を注出する注出弁（２７）を有し、
前記注出弁（２７）は、通電により開弁し、通電停止により閉弁する電磁開閉弁であり、
前記コンセント電源入力ライン（５３）に電圧が入力されているときは、前記コンセント電源入力ライン（５３）から得られる電力で前記電磁開閉弁を駆動し、前記コンセント電源入力ライン（５３）に電圧が入力されていないときは、前記バッテリ電源入力ライン（５５）から得られる電力で前記電磁開閉弁を駆動するように前記電源回路（５１）を構成した、
請求項１から５のいずれかに記載の災害対応型ウォーターサーバー。
【請求項７】
前記バッテリ電源入力ライン（５５）に前記バッテリ（５４）が接続されているか否かを検出するバッテリ電源検出回路（６１）と、
前記制御部（５０）からの信号に基づいてユーザーに情報を報知する報知装置（４６）と、
前記報知装置（４６）を制御する制御部（５０）と、を有し、
前記制御部（５０）は、
前記バッテリ電源検出回路（６１）で前記バッテリ（５４）が接続されていることが検出されたときに、前記バッテリ電源入力ライン（５５）の電圧が所定の基準電圧以下か否かを判定するバッテリ低電圧判定制御と、
前記バッテリ低電圧判定制御で前記バッテリ電源入力ライン（５５）の電圧が基準電圧以下であると判定されたときに前記報知装置（４６）を作動させるバッテリ低電圧報知制御と、を行なう、
請求項１から６のいずれかに記載の災害対応型ウォーターサーバー。
【請求項８】
前記バッテリ電源入力ライン（５５）は、前記バッテリ（５４）と前記バッテリ電源検出回路（６１）の間の経路を機械的に開閉する有接点スイッチ（６５）を有する、
請求項７に記載の災害対応型ウォーターサーバー。
【発明の詳細な説明】
【技術分野】
【０００１】
この発明は、災害時にも飲料水を確保することができる災害対応型ウォーターサーバーに関する。
【背景技術】
【０００２】
従来、主にオフィスや病院などでウォーターサーバーが利用されてきたが、近年、水の安全や健康への関心の高まりから、一般家庭にもウォーターサーバーが普及しつつある。ウォーターサーバーは、一般に、交換式の水ボトルと、その水ボトルから水を導入して収容する冷水タンクと、冷水タンク内の水を冷却する冷却装置と、冷水タンク内の冷水を注出するための冷水コックとを有し、この冷水コックを開くことでいつでもすぐに美味しい冷水を利用することができ、優れた利便性をもつ（例えば、特許文献１）。
【先行技術文献】
【特許文献】
【０００３】
【特許文献１】特開２０１０−２２８８０７号公報
【発明の概要】
【発明が解決しようとする課題】
【０００４】
近年、大地震などの災害が発生したときに対応することができるように、日頃から非常食や飲料などを備蓄するなど、災害に対する備えを行なうニーズが高まっている。
【０００５】
ここで、特許文献１のウォーターサーバーを日頃より利用しているユーザーは、大地震などの災害時に、家庭用電力や水道水の供給が停止した場合であっても、ウォーターサーバーの冷水タンクに残った水や、ウォーターサーバーにセットされた水ボトルの水や、予備の水ボトルの水を利用することで、飲料水を得ることが可能である。
【０００６】
しかしながら、大地震などで交通網が麻痺し、採水地からユーザーに新たな水ボトルを送り届けることができない場合、ウォーターサーバーの冷水タンクに残った水や、水ボトルの水が無くなると、それ以上の飲料水を得ることができなくなってしまう。
【０００７】
ここで、本願の発明者は、平常時は、通常のウォーターサーバーとして利用することができ、一方、大地震などの災害時に、家庭用電力や水道水の供給が停止した場合は、生活用水などから飲料水を作り出すことができる災害対応型のウォーターサーバーを実現することができないかを検討した。
【０００８】
この発明が解決しようとする課題は、災害時に家庭用電力や水道水の供給が停止した場合にも飲料水を確保することができる災害対応型ウォーターサーバーを提供することである。
【課題を解決するための手段】
【０００９】
上記課題を解決するため、この発明では、以下の構成の災害対応型ウォーターサーバーを提供する。
交換式の浄水フィルタカートリッジと、
原水を貯留する原水タンクと、
前記原水タンクと前記浄水フィルタカートリッジの間を連通する原水管と、
前記原水管の途中に設けられ、前記原水タンクの側から前記浄水フィルタカートリッジの側に原水を移送する電動ポンプと、
前記浄水フィルタカートリッジで濾過した浄水を収容する冷水タンクと、
前記冷水タンク内の浄水を冷却する冷却装置と、
前記電動ポンプと前記冷却装置とに電力を供給する電源回路と、を有し、
前記電源回路は、家庭用コンセントに接続して前記家庭用コンセントの電圧が入力されるコンセント電源入力ラインと、交換可能なバッテリに接続して前記バッテリの電圧が入力されるバッテリ電源入力ラインとを有し、
前記コンセント電源入力ラインに電圧が入力されているときは、前記コンセント電源入力ラインから得られる電力で前記電動ポンプおよび前記冷却装置を駆動し、前記コンセント電源入力ラインに電圧が入力されていないときは、前記冷却装置の動作を停止し、かつ、前記バッテリ電源入力ラインから得られる電力で前記電動ポンプを駆動するように構成した、
災害対応型ウォーターサーバー。
【００１０】
このようにすると、平常時は、コンセント電源入力ラインから得られる家庭用コンセントの電力で電動ポンプを駆動することにより、原水を浄水フィルタカートリッジで濾過して浄水にするとともに、その浄水を冷却装置で冷却して利用することが可能である。一方、大地震などの災害時に、家庭用電力の供給が停止した場合は、交換可能なバッテリをバッテリ電源入力ラインに接続し、そのバッテリ電源入力ラインから得られる電力で電動ポンプを駆動することで、原水を浄水フィルタカートリッジで濾過して浄水にすることが可能である。ここで、バッテリ電源入力ラインから得られる電力で電動ポンプを駆動するときは、冷却装置の動作を停止するので、家庭用コンセントよりも小さい電力しか得られないバッテリでも、確実に、電動ポンプを駆動することが可能となっている。また、バッテリの電力を使い切ったときは、バッテリを交換することで、その後も継続して浄水を得ることが可能である。
【００１１】
前記バッテリ電源入力ラインは、複数の乾電池を交換可能に収容して前記複数の乾電池の電圧を取り出す乾電池収容ケースを有するものを採用し、前記複数の乾電池を前記バッテリとすると好ましい。
【００１２】
このようにすると、乾電池は一般に入手しやすく、備蓄しやすいため、災害で家庭用電力の供給が停止したときに、ウォーターサーバーに使用するためのバッテリが無いという事態を効果的に防止することが可能となる。また、ウォーターサーバー以外の電化製品で使用することを予定していた乾電池を、このウォーターサーバーのバッテリに流用することで、災害時でも確実に浄水を得ることが可能となる。
【００１３】
前記浄水フィルタカートリッジは、中空糸膜フィルタと、前記中空糸膜フィルタの上流側に配置された活性炭フィルタとを有するものを採用すると好ましい。
【００１４】
このようにすると、中空糸膜フィルタの上流側に活性炭フィルタを設けているので、災害時に不純物を多く含む水を原水として使用したときに、中空糸膜フィルタが目詰まりしにくい。すなわち、災害時に、不純物を多く含む水を原水として浄水フィルタカートリッジで濾過したときに、活性炭フィルタがサイズの比較的大きい不純物を取り除くので、中空糸膜フィルタにサイズの大きい不純物が流入しにくく、中空糸膜フィルタが目詰まりしにくい。そのため、災害時にも、中空糸膜フィルタの性能を維持して、十分な量の浄水を作り出すことが可能である。
【００１５】
前記電源回路としては、
前記コンセント電源入力ラインと前記バッテリ電源入力ラインとを合流させる電源結合回路と、
前記電源結合回路から前記コンセント電源入力ラインへの逆流を防止するように前記コンセント電源入力ラインに設けられた逆流防止ダイオードと、
前記家庭用コンセントの電圧を、前記コンセント電源入力ラインの前記逆流防止ダイオードよりも上流側の位置から取り出して前記冷却装置に印加する冷却装置電源ラインと、を有するものを採用することができる。
【００１６】
このようにすると、コンセント電源入力ラインに電圧が入力されているときは、家庭用コンセントの電圧が冷却装置に印加される。一方、コンセント電源入力ラインに電圧が入力されていないときは、逆流防止ダイオードによって、バッテリ電源入力ラインの電圧が冷却装置に印加されるのが阻止されるので、無用の電力が冷却装置で消費されるのを確実に防止することができる。
【００１７】
前記コンセント電源入力ラインに前記家庭用コンセントの電圧が入力されているか否かを検出するコンセント電源検出回路と、
前記浄水フィルタカートリッジで濾過した浄水の水位を検出する水位センサと、
前記冷水タンクの温度を検出する冷水温度センサと、
前記冷却装置および前記電動ポンプの駆動を制御する制御部と、を有し、
前記制御部は、
前記水位センサの検出水位が予め設定された下限水位よりも低くなったときに前記電動ポンプを駆動する電動ポンプ駆動制御と、
前記冷水温度センサの検出温度が予め設定された冷水温度の上限値よりも高くなったときに前記冷却装置を駆動する冷水タンク温度制御と、
前記コンセント電源検出回路で前記家庭用コンセントの電圧が検出されないときは、前記電動ポンプ駆動制御を実行しながら前記冷水タンク温度制御を停止する停電時冷却停止制御と、を行なうように構成すると好ましい。
【００１８】
このようにすると、家庭用コンセントの電圧がコンセント電源入力ラインに入力されているときは、水位センサによる検出水位に応じて電動ポンプが駆動するとともに、冷水温度センサによる検出温度に応じて冷却装置が駆動するので、原水を浄水フィルタカートリッジで濾過して浄水にし、その浄水を冷却装置で冷却して利用することができる。一方、家庭用コンセントの電圧がコンセント電源入力ラインに入力されていないときは、制御部の停電時冷却停止制御によって、水位センサによる検出水位に応じて電動ポンプが駆動するが、冷水タンク温度制御が停止するので、無用の電力が冷却装置で消費されるのを確実に防止することができる。
【００１９】
前記浄水フィルタカートリッジで濾過された浄水を注出する注出弁を有し、
その注出弁が、通電により開弁し、通電停止により閉弁する電磁開閉弁である場合、
前記コンセント電源入力ラインに電圧が入力されているときは、前記コンセント電源入力ラインから得られる電力で前記電磁開閉弁を駆動し、前記コンセント電源入力ラインに電圧が入力されていないときは、前記バッテリ電源入力ラインから得られる電力で前記電磁開閉弁を駆動するように前記電源回路を構成すると好ましい。
【００２０】
このようにすると、家庭用コンセントの電圧がコンセント電源入力ラインに入力されているときは、家庭用コンセントの電力で注出弁を開弁することができ、一方、家庭用コンセントの電圧がコンセント電源入力ラインに入力されていないときは、バッテリ電源入力ラインから得られるバッテリの電力で注出弁を開弁することができる。そのため、大地震などの災害時に、家庭用電力の供給が停止した場合にも、確実に浄水を注出することが可能である。
【００２１】
前記バッテリ電源入力ラインに前記バッテリが接続されているか否かを検出するバッテリ電源検出回路と、
前記制御部からの信号に基づいてユーザーに情報を報知する報知装置と、
前記報知装置を制御する制御部と、を有し、
前記制御部は、
前記バッテリ電源検出回路で前記バッテリが接続されていることが検出されたときに、前記バッテリ電源入力ラインの電圧が所定の基準電圧以下か否かを判定するバッテリ低電圧判定制御と、
前記バッテリ低電圧判定制御で前記バッテリ電源入力ラインの電圧が基準電圧以下であると判定されたときに前記報知装置を作動させるバッテリ低電圧報知制御と、を行なうように構成すると好ましい。
【００２２】
このようにすると、災害時に、バッテリ電源入力ラインの電力で駆動する電動ポンプが動作しなくなったときに、その原因が、故障によるものではなく、単なるバッテリの残量不足によるものであることをユーザーに知らせることができる。そのため、故障により停止したというユーザーの誤解を防止し、バッテリの交換をユーザーに促すことができる。
【００２３】
この場合、前記バッテリ電源入力ラインに、前記バッテリと前記バッテリ電源検出回路の間の経路を機械的に開閉する有接点スイッチを設けると好ましい。
【００２４】
このようにすると、有接点スイッチを開くことで、バッテリ電源検出回路でバッテリの電力が消費されるのを防止することができる。そのため、平常時にバッテリが無用に消費されて残量不足になるのを防止し、災害時に、確実にバッテリ電源入力ラインから電力を得ることが可能である。
【発明の効果】
【００２５】
この発明の災害対応型ウォーターサーバーは、平常時は、コンセント電源入力ラインから得られる家庭用コンセントの電力で電動ポンプを駆動することにより、原水を浄水フィルタカートリッジで濾過して浄水にするとともに、その浄水を冷却装置で冷却して利用することが可能である。一方、大地震などの災害時に、家庭用電力や水道水の供給が停止した場合は、交換可能なバッテリをバッテリ電源入力ラインに接続し、そのバッテリ電源入力ラインから得られる電力で電動ポンプを駆動することで、原水を浄水フィルタカートリッジで濾過して浄水にすることが可能である。ここで、バッテリ電源入力ラインから得られる電力で電動ポンプを駆動するときは、冷却装置の動作を停止するので、家庭用コンセントよりも小さい電力しか得られないバッテリでも、確実に、電動ポンプを駆動することが可能となっている。また、バッテリの電力を使い切ったときは、バッテリを交換することで、その後も継続して浄水を得ることが可能である。
【図面の簡単な説明】
【００２６】
【図１】この発明の実施形態の災害対応型ウォーターサーバーを前側から見た図
【図２】図１のII−II線に沿った断面図
【図３】図２に示す浄水フィルタカートリッジを前側から見た図
【図４】図２に示すウォーターサーバーの常温水タンク、冷水タンク、温水タンクを前側から見た断面図
【図５】図４のV−V線に沿った断面図
【図６】図４のVI−VI線に沿った断面図
【図７】図２に示すウォーターサーバーの電源回路を示すブロック図
【図８】図２に示すウォーターサーバーの制御部の入出力を示すブロック図
【発明を実施するための形態】
【００２７】
図１、図２に、この発明の実施形態の災害対応型ウォーターサーバーを示す。このウォーターサーバーは、筐体１と、原水を貯留する原水タンク２と、交換式の浄水フィルタカートリッジ３と、原水タンク２と浄水フィルタカートリッジ３の間を連通する原水管４と、原水管４の途中に設けられた電動ポンプ５と、常温水タンク６と、冷水タンク７と、温水タンク８（図４参照）とを有する。
【００２８】
図２に示すように、原水タンク２は、筐体１に着脱可能に取り付けられている。筐体１は、上下方向に延びる筒壁９と、筒壁９の上端に設けられた天板１０と、筒壁９の下端に設けられた底板１１とを有する。筐体１の天板１０には、原水タンク２を収容するタンク収容凹部１２が設けられている。タンク収容凹部１２の内面には、原水管４の上流側の端部の原水導入口１３が設けられている。
【００２９】
原水タンク２は、原水を収容するタンク本体１４と、タンク本体１４に形成された給水用の開口を開閉する蓋体１５とからなる。タンク本体１４は、原水タンク２をタンク収容凹部１２に取り付けたときに原水導入口１３に対応する位置にタンク開閉弁１６を有する。タンク開閉弁１６は、原水タンク２をタンク収容凹部１２から取り外した状態では、原水タンク２の内部と外部の連通を遮断し、原水タンク２をタンク収容凹部１２に取り付けた状態では、原水タンク２の内部を原水導入口１３に連通させる開閉弁である。
【００３０】
電動ポンプ５は、電動モータ１７と、電動モータ１７で駆動されるポンプ部分１８とで構成されている。電動モータ１７は、直流電圧（例えばＤＣ１２Ｖ）で駆動する直流モータである。ポンプ部分１８は、例えば、ギヤポンプやダイヤフラムポンプを採用することができる。電動ポンプ５は、原水タンク２の側から原水を吸い込み、その原水を浄水フィルタカートリッジ３の側に吐出することで、原水管４内の原水を、原水タンク２の側から浄水フィルタカートリッジ３の側に移送する。
【００３１】
浄水フィルタカートリッジ３は、筐体１の前面に開放するカートリッジ収容空間に収容されている。カートリッジ収容空間は、カバー扉１９で開閉可能とされている。
【００３２】
図３に示すように、浄水フィルタカートリッジ３は、上流側の浄水フィルタカートリッジ３Ａと、下流側の浄水フィルタカートリッジ３Ｂとで構成されている。各浄水フィルタカートリッジ３Ａ，３Ｂは、上端が開口し、下端が閉塞した有底筒状に形成されている。上流側の浄水フィルタカートリッジ３Ａには、中空糸膜フィルタ２０と活性炭フィルタ２２とが組み込まれている。活性炭フィルタ２２は、浄水フィルタカートリッジ３Ａ内において、中空糸膜フィルタ２０の上流側に配置されている。下流側の浄水フィルタカートリッジ３Ｂには、中空糸膜フィルタ２１が組み込まれている。
【００３３】
中空糸膜フィルタ２０，２１は、微小な孔をもつ濾過膜を筒状にした多数の中空糸からなるフィルタである。中空糸膜フィルタ２０，２１としては、５０ｎｍ〜１０μｍの孔径の精密濾過膜（ＭＦ膜）で形成した中空糸を用いたものや、２〜１０ｎｍの孔径の限定濾過膜（ＵＦ膜）で形成した中空糸を用いたものや、２ｎｍ以下の孔径の逆浸透膜（ＲＯ膜）で形成した中空糸を用いたものを使用することができる。図では、精密濾過膜（ＭＦ膜）を使用した中空糸膜フィルタ２０，２１を示している。精密濾過膜（ＭＦ膜）を使用した中空糸膜フィルタ２０，２１を使用すると、災害時にバッテリ５４のみの電力で、効率よく浄水を作り出すことが可能である。
【００３４】
各浄水フィルタカートリッジ３Ａ，３Ｂの上端は、カートリッジヘッド２３に着脱可能とされている。具体的には、各浄水フィルタカートリッジ３Ａ，３Ｂをその中心軸まわりに回転させ、浄水フィルタカートリッジ３Ａ，３Ｂの上端をカートリッジヘッド２３から引き抜く操作により、各浄水フィルタカートリッジ３Ａ，３Ｂの上端をカートリッジヘッド２３から取り外すことが可能となっている。カートリッジヘッド２３には、原水管４の下流側の端部と、浄水管２４の上流側の端部とがそれぞれ接続されている。
【００３５】
図２に示すように、常温水タンク６には、空気と、浄水フィルタカートリッジ３で濾過された浄水とが、上下二層に収容されている。常温水タンク６の上面には、浄水管２４の下流側の端部が接続され、浄水フィルタカートリッジ３で濾過された浄水が常温水タンク６に流れ込むようになっている。常温水タンク６には、常温水タンク６内の水位を検知する水位センサ２５が取り付けられている。
【００３６】
図５に示すように、常温水タンク６の底面には、常温水注出管２６が接続されている。常温水注出管２６には、常温水タンク６内の浄水を筐体１の外部に注出する常温水注出弁２７が設けられている。常温水注出弁２７は、通電により開弁し、通電停止により閉弁する電磁開閉弁である。電磁開閉弁は、ここでは直流電圧（例えばＤＣ１２Ｖ）で駆動する直流電磁弁を採用している。
【００３７】
図２に示すように、冷水タンク７は、常温水タンク６の下方に配置されている。冷水タンク７と常温水タンク６は、冷水タンク接続管２８を介して接続されている。冷水タンク接続管２８の上端は常温水タンク６の下面に接続し、冷水タンク接続管２８の下端は冷水タンク７の上面に接続している。冷水タンク７は、浄水フィルタカートリッジ３で濾過した浄水を、常温水タンク６から冷水タンク接続管２８を介して導入して収容している。冷水タンク７には、冷水タンク７の温度を検出する冷水温度センサ２９（図４参照）が取り付けられている。
【００３８】
冷水タンク７内の浄水は、冷却装置３０によって所定の低温（例えば１０℃以下）に保たれている。冷却装置３０は、冷却用コンプレッサ３１と熱交換器３２と膨張弁３３と冷却管３４とを有する。冷却用コンプレッサ３１と熱交換器３２と膨張弁３３と冷却管３４は、順に冷媒が通過して循環するように冷媒用の配管で接続されている。冷却管３４は、冷水タンク７の外周に螺旋状に巻き付けられている。冷却管３４は、冷水タンク７の内部を通るように冷水タンク７の壁面を貫通して設けてもよい。
【００３９】
冷却用コンプレッサ３１は、冷却管３４から冷媒を吸引し、その冷媒を圧縮して冷媒の温度を上昇させ、高温高圧となった冷媒を熱交換器３２の側に吐出する。熱交換器３２は、冷却用コンプレッサ３１から高温高圧の冷媒を受け入れ、その冷媒と外気との間で熱交換を行なう。膨張弁３３は、熱交換器３２を通過した冷媒を受け入れ、その冷媒を減圧して温度を低下させる。冷却管３４は、膨張弁３３で低温低圧になった冷媒を受け入れ、その冷媒と冷水タンク７との間で熱交換を行なう。冷却用コンプレッサ３１は、ここでは家庭用コンセントの交流電圧（例えばＡＣ１００〜１２５Ｖ）で駆動する交流コンプレッサを採用している。
【００４０】
冷却用コンプレッサ３１は、冷水温度センサ２９の検出温度が予め設定された冷水温度の上限値よりも高くなったときに作動し、このとき冷却管３４はマイナス１５℃からマイナス３０℃程度の低温となり、冷水タンク７内の浄水を冷却する。このようにして、冷水タンク７内の浄水は、所定の低温（例えば１０℃以下）に保たれる。
【００４１】
冷水タンク７の底面には、冷水注出管３５が接続されている。冷水注出管３５には、冷水タンク７内の低温の浄水を筐体１の外部に注出する冷水注出弁３６が設けられている。冷水注出弁３６は、通電により開弁し、通電停止により閉弁する電磁開閉弁である。電磁開閉弁は、ここでは直流電圧（例えばＤＣ１２Ｖ）で駆動する直流電磁弁を採用している。冷水注出弁３６を開弁して低温の浄水を注出すると、その浄水と同量の浄水が、冷水タンク接続管２８を通って常温水タンク６から冷水タンク７に流入し、冷水タンク７は常に満水状態に保たれる。
【００４２】
図６に示すように、温水タンク８は、常温水タンク６の下方に配置されている。温水タンク８と常温水タンク６は、温水タンク接続管３７を介して接続されている。温水タンク接続管３７の上端は常温水タンク６の下面に接続し、温水タンク８の下部に開口するように温水タンク８に接続している。温水タンク８は、浄水フィルタカートリッジ３で濾過した浄水を、常温水タンク６から温水タンク接続管３７を介して導入して収容している。温水タンク８には、温水タンク８の温度を検出する温水温度センサ３８（図４参照）が取り付けられている。
【００４３】
温水タンク８内の浄水は、加熱用ヒータ３９によって所定の高温（例えば８０℃以上）に保たれている。図では、加熱用ヒータ３９にシースヒータを採用した例を示しているが、バンドヒータを採用することもできる。シースヒータは、金属製のパイプの中に通電により発熱する発熱線を収容したものであり、温水タンク８の壁面を貫通して温水タンク８の内部を延びるように取り付けられる。バンドヒータは、通電により発熱する発熱線が埋め込まれた円筒形の発熱体であり、温水タンク８の外周に密着して取り付けられる。図はシースヒータを採用した例を示している。
【００４４】
加熱用ヒータ３９は、温水温度センサ３８の検出温度が予め設定された温水温度の下限値よりも低くなったときに通電し、温水タンク８内の浄水を加熱する。このようにして、温水タンク８内の浄水は、所定の高温（例えば８０℃以下）に保たれる。
【００４５】
温水タンク８の上面には、温水注出管４０が接続されている。温水注出管４０には、温水タンク８内の高温の浄水を筐体１の外部に注出する温水注出弁４１が設けられている。温水注出弁４１は、通電により開弁し、通電停止により閉弁する電磁開閉弁である。電磁開閉弁は、ここでは直流電圧（例えばＤＣ１２Ｖ）で駆動する直流電磁弁を採用している。温水注出弁４１を開弁して高温の浄水を注出すると、その浄水と同量の浄水が、温水タンク接続管３７を通って常温水タンク６から温水タンク８に流入し、温水タンク８は常に満水状態に保たれる。
【００４６】
常温水注出弁２７（図５参照）、冷水注出弁３６（図２参照）、温水注出弁４１（図６参照）の出口はそれぞれ、筐体１の外部に臨んで開口する浄水注出口４２（図１参照）に連通している。図１に示すように、筐体１の外部には、冷水注出操作部４３、温水注出操作部４４、常温水注出操作部４５、報知装置４６が設けられている。報知装置４６は、制御部５０（図８参照）からの信号に基づいてユーザーに情報を報知する装置である。報知装置４６としては、例えば、ＬＥＤランプ、スピーカ等を採用することができる。
【００４７】
図７に示すように、このウォーターサーバーは、電動ポンプ５、冷水注出弁３６、温水注出弁４１、常温水注出弁２７、冷却用コンプレッサ３１、加熱用ヒータ３９、これらの装置の駆動を制御する制御部５０等にそれぞれ電力を供給する電源回路５１を有する。
【００４８】
電源回路５１は、家庭用コンセント５２に接続して家庭用コンセント５２の電圧が入力されるコンセント電源入力ライン５３と、交換可能なバッテリ５４に接続してバッテリ５４の電圧が入力されるバッテリ電源入力ライン５５と、コンセント電源入力ライン５３とバッテリ電源入力ライン５５とを合流させる電源結合回路５６と、電源結合回路５６からコンセント電源入力ライン５３への逆流を防止するようにコンセント電源入力ライン５３に設けられた逆流防止ダイオード５７と、家庭用コンセント５２の電圧を逆流防止ダイオード５７よりも上流側の位置から取り出して冷却装置３０に印加する冷却装置電源ライン５８と、家庭用コンセント５２の電圧を逆流防止ダイオード５７よりも上流側の位置から取り出して加熱用ヒータ３９に印加する加熱装置電源ライン５９と、コンセント電源入力ライン５３に家庭用コンセント５２の電圧が入力されているか否かを検出するコンセント電源検出回路６０と、バッテリ電源入力ライン５５にバッテリ５４が接続されているか否かを検出するバッテリ電源検出回路６１とを有する。
【００４９】
コンセント電源入力ライン５３は、家庭用コンセント５２に差し込まれる差込プラグ６２と、差込プラグ６２からコンセント電源入力ライン５３に入力される交流電圧（例えばＡＣ１００〜１２５Ｖ）を直流電圧（例えばＤＣ１２Ｖ）に変換して出力するＡＣ／ＤＣコンバータ回路６３とを有する。ＡＣ／ＤＣコンバータ回路６３は、例えば、家庭用コンセント５２の交流電圧を直流電圧に変換する整流平滑回路と、その整流平滑回路で得られた直流電圧を高周波の方形交流電圧に変換するスイッチング素子と、そのスイッチング素子で得られた高周波の方形交流電圧を直流電圧に変換する整流平滑回路とを有するもの（スイッチング方式）を採用することができる。ＡＣ／ＤＣコンバータ回路６３として、家庭用コンセント５２の交流電圧を降圧するトランスと、そのトランスで降圧した交流電圧を直流電圧に変換する整流平滑回路とを有するもの（トランス方式）を採用してもよい。
【００５０】
逆流防止ダイオード５７は、ＡＣ／ＤＣコンバータ回路６３と電源結合回路５６の間に設けられている。冷却装置電源ライン５８は、差込プラグ６２とＡＣ／ＤＣコンバータ回路６３の間から分岐している。加熱装置電源ライン５９は、冷却装置電源ライン５８と共通のラインを通って途中から分岐している。
【００５１】
バッテリ電源入力ライン５５は、複数の乾電池を交換可能に収容して複数の乾電池の電圧を取り出す乾電池収容ケース６４と、バッテリ５４とバッテリ電源検出回路６１の間の経路を機械的に開閉する有接点スイッチ６５とを有する。有接点スイッチ６５は、ユーザーの手動操作で開閉するマニュアルスイッチである。
【００５２】
バッテリ５４は、ここでは複数の乾電池である。乾電池収容ケース６４は、１．５Ｖの８本の乾電池を電気的に直列につないで収容し、ＤＣ１２Ｖの直流電圧を出力するように構成されている。有接点スイッチ６５は、乾電池収容ケース６４に組み込まれている。乾電池収容ケース６４は、ＵＳＢコネクタで筐体１から着脱可能に設けられている。乾電池収容ケース６４は、ウォーターサーバーの筐体１に直接固定して設けてもよい。
【００５３】
電源結合回路５６は、コンセント電源入力ライン５３とバッテリ電源入力ライン５５のうち、電圧が高い方のラインから電源結合回路５６に対して電流が流れるように構成されている。電源結合回路５６は、電源結合回路５６からコンセント電源入力ライン５３への逆流を防止するバッテリ側ダイオード（図示せず）を内蔵し、そのバッテリ側ダイオードの下流側と逆流防止ダイオード５７の下流側とでコンセント電源入力ライン５３とバッテリ電源入力ライン５５とが交差する構成のものを採用することができる。
【００５４】
電源結合回路５６は、電動ポンプ５、冷水注出弁３６、温水注出弁４１、常温水注出弁２７にそれぞれ直流電圧を印加するように接続され、その途中にそれぞれスイッチが設けられている。スイッチは、ここでは無接点スイッチ（バイポーラトランジスタ）であるが、図では、分かりやすくするために有接点スイッチの記号で代用している。
【００５５】
図８に示すように、制御部５０は、水位センサ２５、冷水温度センサ２９、温水温度センサ３８、冷水注出操作部４３、温水注出操作部４４、常温水注出操作部４５、コンセント電源検出回路６０、バッテリ電源検出回路６１から入力される信号に基づいて、電動ポンプ５、冷却用コンプレッサ３１、加熱用ヒータ３９、冷水注出弁３６、温水注出弁４１、常温水注出弁２７、報知装置４６の駆動をそれぞれ制御する。
【００５６】
ここで、水位センサ２５から制御部５０には、常温水タンク６内の水位を示す信号が入力され、冷水温度センサ２９から制御部５０には、冷水タンク７内の浄水の温度を示す信号が入力され、温水温度センサ３８から制御部５０には、温水タンク８内の浄水の温度を示す信号が入力され、冷水注出操作部４３から制御部５０には、冷水注出操作の有無を示す信号が入力され、温水注出操作部４４から制御部５０には、温水注出操作の有無を示す信号が入力され、常温水注出操作部４５から制御部５０には、常温水注出操作の有無を示す信号が入力され、コンセント電源検出回路６０から制御部５０には、コンセント電源入力ライン５３に家庭用コンセント５２の電圧が入力されているか否かを示す信号が入力され、バッテリ電源検出回路６１から制御部５０には、バッテリ電源入力ライン５５にバッテリ５４の電圧が入力されているか否かを示す信号が入力される。
【００５７】
制御部５０による制御例を説明する。
【００５８】
制御部５０は、コンセント電源検出回路６０とバッテリ電源検出回路６１からの入力信号に基づいて、ウォーターサーバーの動作モードを、コンセント電源モードとバッテリ電源モードとで切り替える。具体的には、コンセント電源検出回路６０からの入力信号に基づいて、コンセント電源検出回路６０に家庭用コンセント５２の電圧が入力されているか否かを判定するとともに、バッテリ電源検出回路６１からの入力信号に基づいて、バッテリ電源入力ライン５５にバッテリ５４の電圧が入力されているか否かを判定する。そして、コンセント電源検出回路６０に家庭用コンセント５２の電圧が入力されていると判定されたときは、ウォーターサーバーの動作モードをコンセント電源モードとし、一方、コンセント電源検出回路６０に家庭用コンセント５２の電圧が入力されておらず、かつ、バッテリ電源入力ライン５５にバッテリ５４の電圧が入力されていると判定されたときは、ウォーターサーバーの動作モードをバッテリ電源モードとする。なお、コンセント電源検出回路６０に家庭用コンセント５２の電圧が入力されておらず、かつ、バッテリ電源入力ライン５５にもバッテリ５４の電圧が入力されていないときは、制御部５０に電力を供給する電源が存在しないため、制御部５０は動作しない（動作モードなし）。
【００５９】
＜コンセント電源モードのとき＞
図２に示す常温水タンク６の水位（図８に示す水位センサ２５の検出水位）が予め設定された下限水位よりも低くなったとき、電動ポンプ５の駆動を開始し、その後、常温水タンク６の水位が予め設定された上限水位よりも高くなったときに、電動ポンプ５の駆動を停止する電動ポンプ駆動制御を行なう。このとき、電動ポンプ５は、図７に示すコンセント電源入力ライン５３から電源結合回路５６を介して得られる電力で駆動される。
【００６０】
図２に示す冷水タンク７の温度（図８に示す冷水温度センサ２９の検出温度）が予め設定された冷水温度の上限値よりも高くなったとき、冷却用コンプレッサ３１の駆動を開始し、その後、冷水タンク７の温度が予め設定された冷水温度の下限値よりも低くなったときに、冷却用コンプレッサ３１の駆動を停止する冷水タンク温度制御を行なう。このとき、冷却用コンプレッサ３１は、図７に示すコンセント電源入力ライン５３から冷却装置電源ライン５８を介して得られる電力で駆動される。
【００６１】
図２に示す温水タンク８の温度（図８に示す温水温度センサ３８の検出温度）が予め設定された温水温度の下限値よりも低くなったとき、加熱用ヒータ３９の通電を開始し、その後、温水タンク８の温度が予め設定された温水温度の上限値よりも高くなったときに、加熱用ヒータ３９の通電を停止する温水タンク温度制御を行なう。このとき、加熱用ヒータ３９は、図７に示すコンセント電源入力ライン５３から加熱装置電源ライン５９を介して得られる電力で駆動される。
【００６２】
図１に示す冷水注出操作部４３がユーザーにより操作されたときは、図２に示す冷水注出弁３６を通電して開弁し、図１に示す温水注出操作部４４がユーザーにより操作されたときは、図６に示す温水注出弁４１を通電して開弁し、図１に示す常温水注出操作部４５がユーザーにより操作されたときは、図５に示す常温水注出弁２７を通電して開弁する。このとき、冷水注出弁３６、温水注出弁４１、常温水注出弁２７は、それぞれ、図７に示すコンセント電源入力ライン５３から電源結合回路５６を介して得られる電力で駆動される。
【００６３】
＜バッテリ電源モードのとき＞
図２に示す常温水タンク６の水位（図８に示す水位センサ２５の検出水位）が予め設定された下限水位よりも低くなったとき、電動ポンプ５の駆動を開始し、その後、常温水タンク６の水位が予め設定された上限水位よりも高くなったときに、電動ポンプ５の駆動を停止する電動ポンプ駆動制御を実行する。このとき、電動ポンプ５は、図７に示すバッテリ電源入力ライン５５から電源結合回路５６を介して得られる電力で駆動される。また、水位センサ２５に対する電力供給も、図７に示すバッテリ電源入力ライン５５から電源結合回路５６を介して行なう。
【００６４】
このとき、制御部５０は、上記の電動ポンプ駆動制御を実行しながら、冷水タンク温度制御を停止する停電時冷却停止制御を行なう。具体的には、制御部５０は、図２に示す冷水タンク７の温度にかかわらず、冷却用コンプレッサ３１が動作しないように、冷却用コンプレッサ３１の制御を行なう。そのため、冷水タンク７の温度が予め設定された冷水温度の上限値よりも高くなっても、冷却用コンプレッサ３１は動作しない。
【００６５】
また、制御部５０は、上記の電動ポンプ駆動制御を実行しながら、温水タンク温度制御を停止する停電時加熱停止制御を行なう。具体的には、制御部５０は、図２に示す温水タンク８の温度にかかわらず、加熱用ヒータ３９が通電しないように、加熱用ヒータ３９の制御を行なう。そのため、温水タンク８の温度が予め設定された温水温度の下限値よりも低くなっても、加熱用ヒータ３９は通電しない。
【００６６】
図１に示す常温水注出操作部４５がユーザーにより操作されたときは、図５に示す常温水注出弁２７を通電して開弁する。このとき、常温水注出弁２７は、図７に示すバッテリ電源入力ライン５５から電源結合回路５６を介して得られる電力で駆動される。一方、図１に示す冷水注出操作部４３がユーザーにより操作されたときや、温水注出操作部４４がユーザーにより操作されたときは、図２に示す冷水注出弁３６、温水注出弁４１は通電せずに閉弁状態を維持する。
【００６７】
また、制御部５０は、バッテリ電源モードのとき、図８に示すバッテリ電源検出回路６１から制御部５０に入力される電圧値に基づいて、バッテリ電源入力ライン５５の電圧が所定の基準電圧以下か否かを判定するバッテリ低電圧判定制御を行なう。例えば、図７に示すバッテリ５４の残量が最大であり、このときのバッテリ電源入力ライン５５の電圧値がＤＣ１２Ｖであるとする。またこのとき、図８に示すバッテリ電源検出回路６１から制御部５０に入力される電圧値がＤＣ４Ｖとなるようにバッテリ電源検出回路６１が構成されているとする。この場合、バッテリ電源検出回路６１から制御部５０に入力される電圧値がＤＣ４Ｖよりも低い所定値（例えば、初期の電圧値であるＤＣ４Ｖの６０％以下の値）以下であるか否かを判定する。そして、バッテリ電源入力ライン５５の電圧が所定の基準電圧以下であると判定されたときは、図８に示す報知装置４６を作動させるバッテリ低電圧報知制御を行なう。
【００６８】
この災害対応型ウォーターサーバーは、平常時は、図７に示すコンセント電源入力ライン５３に家庭用コンセント５２から電圧が入力され、コンセント電源モードで動作する。このとき、コンセント電源入力ライン５３から得られる家庭用コンセント５２の電力で電動ポンプ５を駆動することにより、原水を浄水フィルタカートリッジ３で濾過して浄水にするとともに、その浄水を冷却装置３０で冷却して利用することができる。
【００６９】
一方、この災害対応型ウォーターサーバーは、大地震などの災害時に、家庭用電力や水道水の供給が停止した場合は、交換可能なバッテリ５４をバッテリ電源入力ライン５５に接続して使用する。そして、コンセント電源入力ライン５３には電圧が入力されず、一方、バッテリ電源入力ライン５５にはバッテリ５４から電圧が入力されるので、ウォーターサーバーはバッテリ電源モードで動作する。このとき、バッテリ電源入力ライン５５から得られる電力で電動ポンプ５を駆動することで、原水を浄水フィルタカートリッジ３で濾過して浄水にし、その浄水を飲料水として利用することが可能である。
【００７０】
ここで、バッテリ電源入力ライン５５から得られる電力で電動ポンプ５を駆動するときは、冷却用コンプレッサ３１の動作を停止するので、家庭用コンセント５２よりも小さい電力しか得られないバッテリ５４でも、確実に、電動ポンプ５を駆動することが可能となっている。
【００７１】
また、バッテリ５４の電力を使い切ったときは、バッテリ５４を交換することで、その後も継続して浄水を得ることが可能である。
【００７２】
また、この災害対応型ウォーターサーバーは、バッテリ５４として乾電池を使用しており、乾電池は一般に入手しやすく、備蓄しやすいため、災害で家庭用電力の供給が停止したときに、ウォーターサーバーに使用するためのバッテリ５４が無いという事態を効果的に防止することが可能となっている。また、ウォーターサーバー以外の電化製品で使用することを予定していた乾電池を、このウォーターサーバーのバッテリ５４に流用することで、災害時でも確実に浄水を得ることが可能である。
【００７３】
また、この災害対応型ウォーターサーバーは、図３に示すように、中空糸膜フィルタ２０，２１の上流側に活性炭フィルタ２２を設けているので、災害時に不純物を多く含む水を原水として使用したときに、中空糸膜フィルタ２０，２１が目詰まりしにくい。すなわち、災害時に、不純物を多く含む水を原水として浄水フィルタカートリッジ３で濾過したときに、活性炭フィルタ２２がサイズの比較的大きい不純物を取り除くので、中空糸膜フィルタ２０，２１にサイズの大きい不純物が流入しにくく、中空糸膜フィルタ２０，２１が目詰まりしにくい。そのため、災害時にも、中空糸膜フィルタ２０，２１の性能を維持して、十分な量の浄水を作り出すことが可能となっている。
【００７４】
また、この災害対応型ウォーターサーバーは、図７に示すコンセント電源入力ライン５３に家庭用コンセント５２の電圧が入力されているとき、家庭用コンセント５２の電圧が冷却用コンプレッサ３１に印加される。一方、コンセント電源入力ライン５３に家庭用コンセント５２の電圧が入力されていないときは、逆流防止ダイオード５７によって、バッテリ電源入力ライン５５の電圧が冷却用コンプレッサ３１に印加されるのが阻止されるので、無用の電力が冷却用コンプレッサ３１で消費されるのを確実に防止することが可能となっている。
【００７５】
また、この災害対応型ウォーターサーバーは、家庭用コンセント５２の電圧がコンセント電源入力ライン５３に入力されているときは、水位センサ２５による検出水位に応じて電動ポンプ５が駆動するとともに、冷水温度センサ２９による検出温度に応じて冷却用コンプレッサ３１が駆動するので、原水を浄水フィルタカートリッジ３で濾過して浄水にし、その浄水を冷却装置３０で冷却して利用することができる。一方、家庭用コンセント５２の電圧がコンセント電源入力ライン５３に入力されていないときは、図８に示す制御部５０の停電時冷却停止制御によって、水位センサ２５による検出水位に応じて電動ポンプ５が駆動するが、冷水タンク温度制御が停止するので、無用の電力が冷却装置３０で消費されるのを確実に防止することができる。
【００７６】
また、この災害対応型ウォーターサーバーは、バッテリ電源モードのときに、制御部５０が、バッテリ電源入力ライン５５の電圧が所定の基準電圧以下か否かを判定し、バッテリ電源入力ライン５５の電圧が基準電圧以下であると判定されたときに報知装置４６を作動させる。すなわち、災害時に、バッテリ電源入力ライン５５の電力で駆動する電動ポンプ５が動作しなくなったときに、その原因が、故障によるものではなく、単なるバッテリ５４の残量不足によるものであることをユーザーに知らせることができる。そのため、故障により停止したというユーザーの誤解を防止し、バッテリ５４の交換をユーザーに促すことが可能となっている。
【００７７】
また、この災害対応型ウォーターサーバーは、バッテリ電源入力ライン５５に、バッテリ５４とバッテリ電源検出回路６１の間の経路を機械的に開閉する有接点スイッチ６５を有するので、この有接点スイッチ６５を開くことにより、バッテリ電源検出回路６１でバッテリ５４の電力が消費されるのを防止することが可能となっている。そのため、平常時にバッテリ５４が無用に消費されて残量不足になるのを防止し、災害時に、確実にバッテリ電源入力ライン５５から電力を得ることが可能である。
【００７８】
上記実施形態のように、バッテリ５４として乾電池を使用する場合、１．５Ｖの８本の乾電池を電気的に直列につないで使用し、ＤＣ１２Ｖの直流電圧がバッテリ電源入力ライン５５に入力されるように構成すると好ましい。このようにすると、災害時に乾電池が入手できない場合、自動車用のバッテリ（ＤＣ１２Ｖ）を電気的に接続し、ウォーターサーバーをバッテリ電源モードで動作させることが可能となる。
【００７９】
上記実施形態では、常温水タンク６と冷水タンク７の両方を有するウォーターサーバーを例に挙げて説明したが、この発明は、常温水タンク６と冷水タンク７のうち、冷水タンク７のみを有するウォーターサーバーにも適用することが可能である。この場合、浄水管２４の下流側の端部を冷水タンク７に接続し、その冷水タンク７に水位センサ２５を設ければよい。
【００８０】
上記実施形態では、冷却装置３０として、冷却用コンプレッサ３１を使用した形式のウォーターサーバーを例に挙げて説明したが、この発明は、冷却装置３０として、ペルチェ素子を使用した形式のウォーターサーバーにも適用可能である。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
２        原水タンク
３        浄水フィルタカートリッジ
４        原水管
５        電動ポンプ
７        冷水タンク
２０，２１  中空糸膜フィルタ
２２      活性炭フィルタ
２５      水位センサ
２７      常温水注出弁
２９      冷水温度センサ
３０      冷却装置
４６      報知装置
５０      制御部
５１      電源回路
５２      家庭用コンセント
５３      コンセント電源入力ライン
５４      バッテリ
５５      バッテリ電源入力ライン
５６      電源結合回路
５７      逆流防止ダイオード
５８      冷却装置電源ライン
６０      コンセント電源検出回路
６１      バッテリ電源検出回路
６４      乾電池収容ケース
６５      有接点スイッチ
【図１】
2020138764.tif 000003
【図２】
2020138764.tif 000004
【図３】
2020138764.tif 000005
【図４】
2020138764.tif 000006
【図５】
2020138764.tif 000007
【図６】
2020138764.tif 000008
【図７】
2020138764.tif 000009
【図８】
2020138764.tif 000010